(57)【特許請求の範囲】
【請求項１】
ユーザ機器（ＵＥ）であって、
無線ワイドエリアネットワーク（ＷＷＡＮ）および無線ローカルエリアネットワーク（ＷＬＡＮ）を介した多重アクセス単一パケットデータネットワーク接続でネットワークに接続し、
ＷＷＡＮアクセスのための省電力モード（ＰＳＭ）に入り、
前記ＷＷＡＮアクセスのための前記省電力モード（ＰＳＭ）にある間に、前記ＷＬＡＮを介してページングを受信し、前記ページングは、前記ＷＷＡＮを介したサービスについてのものであり、
前記ＷＬＡＮを介した前記ページングに応答して、ＰＳＭタイマーの期限が切れる前に前記ＰＳＭタイマーを終了させて、前記省電力モードを抜け、
前記ネットワークに前記ＷＷＡＮを介して接続し、
前記ＷＷＡＮを介して前記サービスを受信する、処理回路を備える、ユーザ機器。
【請求項２】
前記ＷＷＡＮは、第３世代パートナーシッププロジェクト（３ＧＰＰ）ネットワークを有する、請求項１に記載のユーザ機器。
【請求項３】
前記ＵＥは、アクティブ化された省電力モードを有する、請求項１または２に記載のユーザ機器。
【請求項４】
前記ＷＷＡＮを介して前記ネットワークに接続すべく、前記処理回路は、
前記ＷＷＡＮを介してサービス要求手順を開始し、
前記ＷＷＡＮを介してＥＣＭ＿ＣＯＮＮＥＣＴＥＤモードに移行する、
請求項１から３の何れか一項に記載のユーザ機器。
【請求項５】
前記処理回路は、
前記省電力モードをアクティブ化し、
前記省電力モードがアクティブ化されている間に、前記ＷＬＡＮを介して前記ページングを受信することに応答して、前記ユーザ機器を起動する、
請求項１から４の何れか一項に記載のユーザ機器。
【請求項６】
前記ＷＷＡＮを介した前記サービスは、ダウンリンクデータ、モバイル通話、またはインターネットサービス、またはこれらの組み合わせを有する、請求項１から５の何れか一項に記載のユーザ機器。
【請求項７】
前記ユーザ機器は、単一の多重アクセスパケットデータネットワーク（ＰＤＮ）接続を用いてネットワークベースのインターネットプロトコルフローモビリティを介して、前記ネットワークで動作することが可能である、請求項１から６の何れか一項に記載のユーザ機器。
【請求項８】
無線ワイドエリアネットワーク（ＷＷＡＮ）を介してユーザ機器（ＵＥ）への接続を、単一のパケットデータネットワーク接続として前記ユーザ機器に接続された無線ローカルエリアネットワーク（ＷＬＡＮ）と同時に提供し、
ＷＷＡＮアクセスを介して前記ユーザ機器に提供されるサービスを受信し、
前記ユーザ機器が、前記ＷＷＡＮのための省電力モード（ＰＳＭ）にある場合、前記ＷＬＡＮを介して前記ユーザ機器にページングし、前記ユーザ機器は、前記ＷＬＡＮを介した前記ページングに応答して、ＰＳＭタイマーの期限が切れる前に前記ＰＳＭタイマーを終了させて、前記省電力モードを抜け、
前記ユーザ機器から応答を受信した後、前記ＷＷＡＮを介して前記ユーザ機器と接続し、
前記ＷＷＡＮを介して前記ユーザ機器に前記サービスを提供する、処理回路を備える、
サービングゲートウェイ（Ｓ−ＧＷ）。
【請求項９】
前記ＷＷＡＮは、第３世代パートナーシッププロジェクト（３ＧＰＰ）ネットワークを有する、請求項８に記載のサービングゲートウェイ。
【請求項１０】
前記サービングゲートウェイは、パケットデータネットワークゲートウェイ（Ｐ−ＧＷ）と同じ場所に位置し、前記サービングゲートウェイの前記処理回路は、前記パケットデータネットワークゲートウェイを介して前記ユーザ機器に前記ページングを送信する、請求項８または９に記載のサービングゲートウェイ。
【請求項１１】
前記ユーザ機器にページングすべく、前記処理回路は、トラステッドワイヤレスアクセスゲートウェイ（ＴＷＡＧ）に送信されるページング要求をもたらし、前記ＴＷＡＧは、送信されるべき無線ローカルエリアネットワーク（ＬＡＮ）コントロールプレーン（ＷＬＣＰ）ページング要求を前記ユーザ機器に送信し、前記ユーザ機器からＷＬＣＰページング応答を受信する、請求項８から１０の何れか一項に記載のサービングゲートウェイ。
【請求項１２】
前記ユーザ機器にページングすべく、前記処理回路は、進化型パケットデータゲートウェイ（ｅＰＤＧ）に送信されるページング要求をもたらし、前記ｅＰＤＧは、前記ユーザ機器に送信されるべきページング要求メッセージを含むＩＫＥｖ２  ＩＮＦＯＲＭＡＩＯＮＡＬ要求を送信し、前記ユーザ機器からページング応答メッセージを含むＩＫＥｖ２  ＩＮＦＯＲＭＡＴＩＯＮＡＬ応答を受信する、請求項８から１１の何れか一項に記載のサービングゲートウェイ。
【請求項１３】
前記ユーザ機器にページングすべく、前記処理回路は、前記ＷＬＡＮのトラステッドワイヤレスアクセスゲートウェイ（ＴＷＡＧ）または進化型パケットデータゲートウェイ（ｅＰＤＧ）に通知を送信し、前記トラステッドワイヤレスアクセスゲートウェイから戻ってくる通知応答を受信する、請求項８から１２の何れか一項に記載のサービングゲートウェイ。
【請求項１４】
前記ユーザ機器から受信された前記応答は、ＷＷＡＮアクセスについてのサービス要求を有する、請求項８から１３の何れか一項に記載のサービングゲートウェイ。
【請求項１５】
前記ＷＷＡＮを介して前記ユーザ機器に提供される前記サービスは、ダウンリンクデータ、モバイル通話、またはインターネットサービス、またはこれらの組み合わせを有する、請求項８から１４の何れか一項に記載のサービングゲートウェイ。
【請求項１６】
前記ユーザ機器が、ネットワークベースのインターネットプロトコルフローモビリティを介して、前記ネットワークで動作することが可能でない場合、前記処理回路は、前記ＷＷＡＮを介して前記ユーザ機器にページングする、請求項９に記載のサービングゲートウェイ。
【請求項１７】
前記ユーザ機器に提供されるべき前記サービスが受信されるときに、前記ユーザ機器が、前記ＷＬＡＮに接続されていない場合、前記処理回路は、前記ＷＷＡＮを介して前記ユーザ機器にページングする、請求項９に記載のサービングゲートウェイ。
【請求項１８】
ユーザ機器に、
無線ワイドエリアネットワーク（ＷＷＡＮ）および無線ローカルエリアネットワーク（ＷＬＡＮ）を介して、単一のパケットデータネットワーク接続でネットワークに接続させ、
ＷＷＡＮアクセスのための省電力モード（ＰＳＭ）に入り、
前記ＷＷＡＮアクセスのための前記省電力モード（ＰＳＭ）にある間に、前記ＷＷＡＮを介したサービスのためのページングを、前記ＷＬＡＮを介して受信させ、
前記ＷＬＡＮを介した前記ページングに応答して、ＰＳＭタイマーの期限が切れる前に前記ＰＳＭタイマーを終了させて、前記省電力モードを抜け、
前記ＷＷＡＮを介して前記ネットワークに接続させ、
前記ＷＷＡＮを介して前記サービスを受信させるための、プログラム。
【請求項１９】
前記ＷＷＡＮは、第３世代パートナーシッププロジェクト（３ＧＰＰ）ネットワークを有する、請求項１８に記載のプログラム。
【請求項２０】
前記ユーザ機器は、アクティブ化された省電力モードを有する、請求項１８または１９に記載のプログラム。
【請求項２１】
前記ＷＷＡＮを介して前記ネットワークに接続すべく、前記ユーザ機器に、さらに、
前記ＷＷＡＮを介してサービス要求手順を開始させ、
前記ＷＷＡＮを介してＥＣＭ＿ＣＯＮＮＥＣＴＥＤモードに移行させる、請求項１８から２０の何れか一項に記載のプログラム。
【請求項２２】
前記ユーザ機器に、さらに、
前記省電力モードにある間に、前記ＷＬＡＮを介して前記ページングを受信することに応答して起動させる、請求項１８から２１の何れか一項に記載のプログラム。
【請求項２３】
前記ＷＷＡＮを介した前記サービスは、ダウンリンクデータ、モバイル通話、またはインターネットサービス、またはこれらの組み合わせを有する、請求項１８から２２の何れか一項に記載のプログラム。
【請求項２４】
前記ユーザ機器に、ネットワークベースのインターネットプロトコルフローモビリティを介して前記ネットワークで動作させる、請求項１８から２３の何れか一項に記載のプログラム。
【請求項２５】
サービングゲートウェイに、
無線ワイドエリアネットワーク（ＷＷＡＮ）を介してユーザ機器（ＵＥ）への接続を、単一のパケットデータネットワーク接続として前記ユーザ機器に接続された無線ローカルエリアネットワーク（ＷＬＡＮ）と同時に提供させ、
ＷＷＡＮアクセスを介して前記ユーザ機器に提供されるサービスを受信させ、
前記ユーザ機器が前記ＷＷＡＮのための省電力モード（ＰＳＭ）にある場合、前記ＷＬＡＮを介して前記ユーザ機器にページングさせ、前記ユーザ機器は、前記ＷＬＡＮを介した前記ページングに応答して、ＰＳＭタイマーの期限が切れる前に前記ＰＳＭタイマーを終了させて、前記省電力モードを抜け、
前記ユーザ機器から応答を受信した後に、前記ＷＷＡＮを介して前記ユーザ機器と接続させ、
前記ＷＷＡＮを介して前記サービスを前記ユーザ機器に提供させるための、プログラム。
【請求項２６】
前記ＷＷＡＮは、第３世代パートナーシッププロジェクト（３ＧＰＰ）ネットワークを有する、請求項２５に記載のプログラム。
【請求項２７】
前記サービングゲートウェイは、パケットデータネットワークゲートウェイ（Ｐ−ＧＷ）と同じ場所に位置し、前記サービングゲートウェイに、前記パケットデータネットワークゲートウェイを介して前記ユーザ機器に前記ページングを送信させる、請求項２５または２６に記載のプログラム。
【請求項２８】
前記ユーザ機器にページングすべく、前記サービングゲートウェイに、無線ローカルエリアネットワーク（ＬＡＮ）コントロールプレーン（ＷＬＣＰ）ページング要求を前記ユーザ機器に送信させ、前記ユーザ機器からＷＬＣＰページング応答を受信させる、請求項２５から２７の何れか一項に記載のプログラム。
【請求項２９】
前記ユーザ機器にページングすべく、前記サービングゲートウェイに、ページング要求を含むＩＫＥｖ２  ＩＮＦＯＲＭＡＩＯＮＡＬ要求を、前記ユーザ機器に送信させ、前記ユーザ機器からのページング応答を含むＩＫＥｖ２  ＩＮＦＯＲＭＡＴＩＯＮＡＬ応答を受信させる、請求項２５から２８の何れか一項に記載のプログラム。
【請求項３０】
前記ユーザ機器にページングすべく、前記サービングゲートウェイに、前記ＷＬＡＮのトラステッドワイヤレスアクセスゲートウェイ（ＴＷＡＧ）に通知を送信させ、前記トラステッドワイヤレスアクセスゲートウェイから通知応答を受信させる、請求項２５から２９の何れか一項に記載のプログラム。
【請求項３１】
前記ユーザ機器から受信された前記応答は、ＷＷＡＮアクセスについてのサービス要求を有する、請求項２５から３０の何れか一項に記載のプログラム。
【請求項３２】
前記ＷＷＡＮを介して前記ユーザ機器に提供される前記サービスは、ダウンリンクデータ、モバイル通話、またはインターネットサービス、またはこれらの組み合わせを有する、請求項２５から３１の何れか一項に記載のプログラム。
【請求項３３】
前記ユーザ機器がネットワークベースのインターネットプロトコルフローモビリティを介してネットワークで動作することが可能でない場合、前記サービングゲートウェイに、前記ＷＷＡＮを介して前記ユーザ機器にページングさせる、請求項２５から３２の何れか一項に記載のプログラム。
【請求項３４】
前記ユーザ機器に提供される前記サービスが受信されるときに、前記ユーザ機器が、前記ＷＬＡＮに接続されていない場合、前記サービングゲートウェイに、前記ＷＷＡＮを介して前記ユーザ機器にページングさせる、請求項２５から３３の何れか一項に記載のプログラム。
【請求項３５】
請求項１８から３４の何れか一項に記載のプログラムを格納している、コンピュータ可読記録媒体。
【発明の詳細な説明】
【技術分野】
【０００１】
［関連出願の相互参照］  本出願は、２０１４年６月２４日に出願された米国仮特許出願第６２／０１６，５３４号（整理番号Ｐ６９６７１Ｚ）の利益を主張する。上記出願第６２／０１６，５３４号は、これにより、その全体の参照によって、本明細書に組み込まれる。
【背景技術】
【０００２】
ネットワークベースのインターネットプロトコルフローモビリティ（ＮＢ_ＩＦＯＭ）は、複数のアクセスを介してユーザ機器（ＵＥ）に単一のパケットデータネットワーク接続を同時に提供すべく、ネットワークによって利用され得る。ネットワークベースのインターネットプロトコルフローモビリティにより、１または複数のインターネットプロトコル（ＩＰ）フローが、ユーザ機器に接続されたままで、複数の異なるアクセスシステム間で転送されることが可能になる。例えば、ユーザ機器は、無線ローカルエリアネットワーク（ＷＬＡＮ）アクセスを用いて、ネットワークに同時に接続されている間に、無線ワイドエリアネットワーク（ＷＷＡＮ）アクセスを用いてネットワークに接続され得る。ＩＰフローは、ＷＷＡＮアクセスまたはＷＬＡＮアクセスの何れかを介してユーザ機器に提供され得、さらにＩＰフローは、１つのアクセスシステムから他のアクセスシステムへ転送され得る。様々なＩＰフローは、複数の事業者ポリシーに従って、またはネットワーク状況における輻輳または変更に起因して、または提供されるサービスのタイプおよび所与のタイプのサービスを提供することが可能な事業者に基づいて、複数の異なるアクセスシステムにわたってルーティングされ得る。ネットワークにおけるユーザ機器の動作の最適化は、ユーザが、サービスにおいていかなる中断も経験せずに、複数の利用可能なアクセスシステムの中でＩＰフローをシームレスに移動させる能力をうまく利用することによって提供され得る。
【図面の簡単な説明】
【０００３】
特許請求された主題は、明細書の結び部分で具体的に指摘され、明確に主張される。しかしながら、そのような主題は、添付の図面を読んだ場合に、以下の詳細な説明を参照することで理解され得る。
【０００４】
【図１】１または複数の実施形態による無線ワイドエリアネットワークおよび無線ローカルエリアネットワークを介して複数のインターネットプロトコルフローを実装することが可能なネットワークの図である。
【０００５】
【図２】１または複数の実施形態によるトラステッド（Ｓ２ａ）接続またはアントラステッド（Ｓ２ｂ）接続を用いて、パブリックデータネットワーク接続内で移動可能なインターネットプロトコルフローのさらなる詳細を示す、図１のネットワークの図である。
【０００６】
【図３】１または複数の実施形態による、ネットワークベースのインターネットプロトコルフローモビリティをサポートするユーザ機器において、電力を節約する方法のフロー図である。
【０００７】
【図４】ユーザ機器が開始する、１または複数の実施形態による、クライアントベースのインターネットプロトコルのフローモビリティの図である。
【０００８】
【図５Ａ】１または複数の実施形態による、無線ローカルエリアネットワークアクセスにおけるアタッチを示すネットワークベースのインターネットプロトコルフローモビリティ対応のユーザ機器のための無線ローカルエリアネットワークのページングの図である。
【０００９】
【図５Ｂ】１または複数の実施形態による、無線ローカルエリアネットワークを介してユーザ機器のページングを示す、ネットワークベースのインターネットプロトコルフローモビリティ対応のユーザ機器のための無線ローカルエリアネットワークのページの図である。
【００１０】
【図６】１または複数の実施形態による、ネットワークベースのインターネットプロトコルフローモビリティで電力最適化を実現することが可能な情報処理システムのブロック図である。
【００１１】
【図７】１または複数の実施形態によるタッチスクリーンを任意に含み得る図８の情報処理システムの等角図である。
【００１２】
例示の簡潔性および／または明瞭性のため、複数の図面に示される複数の要素は必ずしも縮尺通りに描かれていないことが理解されるであろう。例えば、明瞭性のため、いくつかの要素の寸法は、他の要素に対して強調され得る。さらに、適切と考えられる場合には、複数の図面間で対応および／または類似する複数の要素を示すべく、複数の参照番号が繰り返されている。
【発明を実施するための形態】
【００１３】
以下の詳細な説明において、特許請求された主題の完全な理解を提供すべく、多数の具体的な詳細が記述されている。しかしながら、特許請求された主題は、これらの具体的な詳細がなくても実施され得ることが、当業者によって理解されるであろう。他の複数の例では、周知の方法、手順、コンポーネントおよび／または回路は、詳細に説明されていない。
【００１４】
以下の説明および／または特許請求の範囲において、「結合された」という用語、および／または、「接続された」という用語が、それらの派生語と共に用いられ得る。複数の特定の実施形態において、「接続された」は、２つまたはそれより多くの要素が互いに直接、物理的および／または電気的に接触することを示すのに用いられ得る。「結合された」は、２つまたはそれより多くの要素が直接、物理的および／または電気的に接触することを意味し得る。しかしながら、「結合された」は、また、２つまたはそれより多くの要素が互いに直接接触し得ないが、それでもまだ互いに協働および／または相互作用し得ることも意味し得る。例えば、「結合された」は、２つまたはそれより多くの要素が、互いに接触しないが、別の要素または複数の中間要素を介して、間接的に共に連結されることを意味し得る。最後に、「上の（ｏｎ）」、「上にある（ｏｖｅｒｌｙｉｎｇ）」および「上方に（ｏｖｅｒ）」といった複数の用語が、以下の説明および特許請求の範囲で用いられ得る。「上の（ｏｎ）」、「上にある（ｏｖｅｒｌｙｉｎｇ）」および「上方に（ｏｖｅｒ）」は、２つまたはそれより多くの要素が互いに直接、物理的に接触することを示すのに用いられ得る。しかしながら、「上方に（ｏｖｅｒ）」は、２つまたはそれより多くの要素が互いに直接接触しないことも意味し得る。例えば、「上方に（ｏｖｅｒ）」は、１つの要素が別の要素の上にあるが、互いに接触しておらず、その２つの要素の中間に別の要素または複数の要素を有し得ることを意味し得る。さらに、特許請求された主題の範囲はこの点で限定されないが、「および／または」という用語は、「および」を意味し得、「または」を意味し得、「排他的な「または」」を意味し得、「１つ」を意味し得、「いくつかであるが全てではない」を意味し得、「どちらでもない」を意味し得、および／または、「両方」を意味し得る。以下の説明および／または特許請求の範囲において、「備える（ｃｏｍｐｒｉｓｅ）」および「含む（ｉｎｃｌｕｄｅ）」といった複数の用語が、それらの派生語と共に用いられ得、互いに類義語として意図されている。
【００１５】
ここで図１を参照すると、１または複数の実施形態による無線ワイドエリアネットワークおよび無線ローカルエリアネットワークを介して、複数のインターネットプロトコルフローを実装することが可能なネットワークの図が、議論される。図１に示されるように、ネットワーク１００は、無線ワイドエリアネットワーク（ＷＷＡＮ）１１２アクセスおよび無線ローカルエリアネットワーク（ＷＬＡＮ）１１４アクセスの両方を介して、複数のインターネットプロトコル（ＩＰ）フローを実装することが可能である。このような構成において、ユーザ機器（ＵＥ）１１０は、ＷＷＡＮ１１２の進化型ノードＢ（ｅＮＢ）１１６と、トラステッドワイヤレスアクセスゲートウェイ（ＴＷＡＧ）または進化型パケットデータゲートウェイ（ｅＰＤＧ）のようなＷＬＡＮ１１４のゲートウェイ１１８と同時に、通信し得る。１または複数の実施形態において、ＵＥ１１０は、ｅＮＢ１１６および／またはゲートウェイ１１８を介してコアネットワーク１２０に接続し得、それは、例えば、インターネット１２６を介して受信されるデータおよび／またはサービスを含むがそれに限定されないネットワーク１００からのデータおよび／またはサービスを受信する、サービングゲートウェイ（Ｓ−ＧＷ）１２２およびパケットデータネットワークゲートウェイ（Ｐ−ＧＷ）または（ＰＤＮ−ＧＷ）を含み得るが、特許請求された主題の範囲は、この点に関して限定されない。
【００１６】
１または複数の実施形態において、ネットワーク１００は、ＵＥ１１０のような単一のデバイスが、ＷＷＡＮ１１２アクセスおよびＷＬＡＮ１１４アクセスのような多重アクセスを同時に用いてネットワーク１００との単一のパケットデータネットワーク（ＰＤＮ）接続を有する、ネットワークベースのＩＰフローモビリティ（ＮＢ_ＩＰＦＯＭ）を実装してよい。ＮＢ_ＩＦＯＭを用いることによって、ネットワーク１００は、複数の多重アクセスデバイスの間でＵＥ１１０との単一のＰＤＮ接続のための１または複数のＩＰフローを転送することが可能である。例えば、第１のＩＰフロー１２８は、ＷＷＡＮ１１２を介してＵＥ１１０に対して行われてよく、第２のＩＰフロー１３０は、ＷＬＡＮ１１４を介してＵＥ１１０に対して行われてよい。１または複数のトリガーに応答して、１つのアクセスデバイスを介したＩＰフローは、例えば、ネットワーク輻輳またはネットワーク状況の変化に起因して、別のアクセスデバイスに転送され得る。１または複数の実施形態において、以下で、さらに詳細に議論されるように、ＵＥ１１０のための節電は、ネットワークベースのＩＰフローモビリティをうまく利用することによって得られてよい。ネットワーク１００がどのようにＩＰフローモビリティを実装し得るかについてのさらなる詳細が、以下、図２に示され、それに関連して説明される。
【００１７】
ここで図２を参照すると、１または複数の実施形態によるトラステッド（Ｓ２ａ）接続またはアントラステッド（Ｓ２ｂ）接続を用いてパブリックデータネットワーク接続内で移動可能なインターネットプロトコルフローのさらなる詳細を示す、図１のネットワークの図が、議論される。図２に示されるように、ネットワーク１００は、ＷＷＡＮ１１２アクセスを用いてネットワーク１００に接続する無線ワイドエリアネットワーク（ＷＷＡＮ）モデム２１０と、ＷＬＡＮ１１４アクセスを用いてネットワーク１００に接続する無線ローカルエリアネットワーク（ＷＬＡＮ）モデム２１２とを有するユーザ機器（ＵＥ）１１０を含み得る。ＷＷＡＮ１１２アクセスは、進化型ノードＢ（ｅＮＢ）１１６およびサービングゲートウェイ（Ｓ−ＧＷ）１２２を含む。１または複数の実施形態において、ＷＷＡＮ１１２アクセスは、ロングタームエボリューション（ＬＴＥ）またはアドバンストＬＴＥ（Ａ−ＬＴＥ）規格を含む第３世代パートナーシッププロジェクト（３ＧＰＰ）規格に準拠し得るが、特許請求された主題の範囲は、この点に関して限定されない。同様に、ＷＬＡＮ２１４は、ＷＬＡＮ−Ａ２１４およびＷＬＡＮ−Ｂ２１６のようなＷＬＡＮルータを含む。１または複数の実施形態において、ルータＷＬＡＮ−Ａ２１４および／またはＷＬＡＮ−Ｂ２１６は、ＩＥＥＥ８０２．１１ａｃまたは他のＩＥＥＥ８０２．１１規格のような電気電子技術者協会（ＩＥＥＥ）規格に準拠し得、特許請求された主題の範囲は、この点に関して限定されない。アントラステッド（Ｓ２ｂ）接続を介してアクセスを提供すべく、ルータＷＬＡＮ−Ａ２１４は、進化型パケットデータゲートウェイ（ｅＰＤＧ）２１８を含み得、ルータＷＬＡＮ−Ｂ２１６は、ｅＰＤＧ２２２を含み得る。同様に、トラステッド（Ｓ２ａ）接続を介してアクセスを提供すべく、ルータＷＬＡＮ−Ａ２１４は、トラステッドワイヤレスアクセスゲートウェイ（ＴＷＡＧ）２２０を含み得、ルータＷＬＡＮ−Ｂ２１６は、ＴＷＡＧ２２４を含み得る。
【００１８】
図２に示される実施形態において、ネットワーク１００は、事業者２２６、事業者２２８、および事業者２３０のような複数の事業者を含み得る。事業者２２６は、パケットデータネットワークゲートウェイ（ＰＤＮ−ＧＷ）２３２およびＰＤＮ−ＧＷ２３４を含み得る。事業者２２８は、ＰＤＮ−ＧＷ２３６を含み得る。事業者２３０は、ＰＤＧ−ＧＷ２３８を含み得る。ネットワーク１００は、ＵＥ１１０との多重アクセスを介して、ネットワークベースのＩＰフローモビリティ（ＮＢ_ＩＰＦＯＭ）を実装し得る。例えば、Ｓ−ＧＷ１２２は、ＷＷＡＮ１１２を介してアクセスを提供すべく、事業者２２６のＰＤＮ−ＧＷ２３２および事業者２２８のＰＤＮ−ＧＷ２３６と結合し得る。同様に、ｅＰＤＧ２１８は、ＷＬＡＮ１１４を介してアクセスを提供すべく、事業者２２６のＰＤＮ−ＧＷ２３４および事業者２２８のＰＤＮ−ＧＷ２３６と結合し得る。ＴＷＡＧ２２０は、事業者２２８のＰＤＮ−ＧＷ２３６と、およびＮＳＷＯ接続を介して、非シームレスの無線ローカルエリアネットワークオフロードゲートウェイ（ＮＳＷＯ−ＧＷ）２４０と結合し得る。さらに、ｅＰＤＧ２２２は、事業者２２８のＰＤＮ−ＧＷ２３６と結合してよく、ＴＷＡＧ２２４は、事業者２３０のＰＤＮ−ＧＷ２３８と、およびＮＳＷＯ接続を介してＮＳＷＯ−ＧＷ２４０と結合し得る。ＮＳＷＯ−ＧＷ２４０は、ＷＬＡＮ１１４トラフィックが、ＰＤＮ−ＧＷを通過せずにインターネット１２６へ、およびそこから直接ルーティングされることを可能にし得る。事業者は、ＵＥ１１０に様々なサービスを、ネットワーク１００を介して提供することによって、様々なＩＰフローをネットワーク１００上で提供し得る。例えば、事業者２２６は、ＰＤＮ−ＧＷ２３２と接続されたＶｏＬＴＥアクセスポイントネーム（ＡＰＮ）ゲートウェイ２４６を介して、複数のＶｏｉｃｅ  ｏｖｅｒ  ＬＴＥ（ＶｏＬＴＥ）サービスを提供し得る。事業者２２６は、ＰＤＮ−ＧＷ２３４と接続されたＩＭＳサービスＡＰＮゲートウェイ２４８を介して、ＩＰマルチメディアサブシステム（ＩＭＳ）サービスも提供し得る。事業者２２８は、ＰＤＮ−ＧＷ２３６と接続されたＶｏＤサービスＡＰＮゲートウェイ２５０を介してビデオ・オン・デマンド（ＶｏＤ）サービスを提供し得る。事業者２３０は、ＰＤＮ−ＧＷ２３８と接続されたインターネットＡＰＮゲートウェイ２５２を介してインターネットサービスを提供し得る。インターネットＡＰＮゲートウェイ２５２は、そのようなインターネットサービスを提供すべく、インターネット１２６とも接続し得る。ネットワーク１００は、また、ホームアクセスネットワーク検出および選択機能（Ｈ−ＡＮＤＳＦ）と、ポリシーおよび課金ルール機能（ＰＣＲＦ）サーバ２４２とを含み得、例えば、ネットワーク１００に対して利用可能なＷＷＡＮ１１２およびＷＬＡＮ１１４のような利用可能な無線アクセス技術を、ＵＥ１１０が検出するのを援助すべく、ホーム事業者ポリシー２４４をＵＥ１１０に提供する。ＵＥ１１０が、ＮＢ_ＩＰＦＯＭを用いてネットワーク１００に接続されているとき、電力を低減するか、そうでなければ最適化することを可能にする方法が、以下の図３に示され、それに関連して説明されている。
【００１９】
図３をここで参照すると、１または複数の実施形態によるネットワークベースのインターネットプロトコルフローモビリティをサポートするユーザ機器において、電力を節約する方法のフロー図が議論される。図３の方法３００は、１または複数の代替の実施形態における、所与の数のブロックを１つの特定の順序で示すが、方法３００は、示されているより多いかまたは少ないブロックを含み得、および／または、様々な他の順序で含み得る。特許請求された主題の範囲は、これらの点に関して限定されない。方法３００において、ＵＥ１１０は、ブロック３１０において、ＮＢ_ＩＰＦＯＭを用いてＷＷＡＮ１１２アクセスおよびＷＬＡＮ１１４アクセスの両方を介して接続し得る。ブロック３１２において、ＵＥ１１０は、ＷＷＡＮ１１２アクセスのための３ＧＰＰ規格による進化型パケットシステム（ＥＰＳ）接続管理（ＥＣＭ）アイドルモード（ＥＣＭ＿ＩＤＬＥ）のようなアイドルモードに入ってよい。任意に、ブロック３１４において、ＵＥ１１０は、省電力モード（ＰＳＭ）へと入ってよい。ブロック３１６において、ＵＥ１１０は、ＷＷＡＮ１１２アクセスのためのＥＣＭ＿ＩＤＬＥモードにある間に、ＷＬＡＮ１１４アクセスを介して接続されたままでよく、任意に、ＰＳＭにおける状態のままでよい。ブロック３１８において、ＵＥ１１０のためのダウンリンク（ＤＬ）データまたはモバイル通話または何らかの他のＩＰサービスが、ＷＷＡＮ１１２から受信可能かどうかという判断が行われ得る。そのようなＩＰサービス、データ、呼び出し、または接続が利用可能でない場合、またはそうでなければ受信できない場合、ＵＥ１１０は、ブロック３１６において、ＥＣＭ＿ＩＤＬＥモードまたはＰＳＭのままでよい。しかしながら、ＩＰフローサービス、データ、呼び出し、または接続が利用可能であるか、またはＷＷＡＮ１１２から受信されるべく存在している場合、ネットワーク１００は、ブロック３２０において、ＷＬＡＮ１１４を介してＵＥ１１０をページングし得る。ブロック３２２において、ＵＥ１１０がＰＳＭにある場合、ＵＥ１１０は、ＰＳＭから起動してよく、ＵＥ１１０は、ＷＷＡＮアクセスを介してサービス要求手順１１２を開始してよい。ブロック３２４において、ＵＥ１１０は、ＷＷＡＮアクセス３２４を介してＥＣＭ接続（ＥＣＭ＿ＣＯＮＮＥＣＴＥＤ）モードに移行して、ＵＥが、ブロック３２６において、ＤＬデータ、呼び出し、接続、またはＩＰサービスを受信することを可能にし得る。
【００２０】
従って、ネットワーク１００およびＵＥ１１０のための方法３００を実施することにより、プロキシモバイルＩＰｖ６（ＰＭＩＰｖ６）のためのＩＰフローモビリティ機能（ＩＦＯＭ）および／または汎用パケット無線サービス（ＧＰＲＳ）トンネリングプロトコル（ＧＴＰ）ベースのＳ２ａ（トラステッド）およびＳ２ｂ（アントラステッド）接続を、ＷＬＡＮ１１４アクセスを介してうまく利用することによって、ＵＥ１１０による電力利用が低減され得、または最適化され得る。このような構成は、多重アクセス、またはマルチホームアクセスを介して、単一のパケットデータネットワーク（ＰＤＮ）接続を同時にサポートすることを可能にし得、ネットワークベースプロトコルのＧＴＰ／ＰＭＩＰを用いて複数の異なるアクセスシステムの間で単一のＰＤＮ接続に属する１つのまたは複数のＩＰフローを転送することを可能にし得る。ＮＢ_ＩＦＯＭ対応であるＵＥ１１０は、ＷＷＡＮ１１２アクセスがＥＣＭ＿ＩＤＬＥモードにあるとき、ＷＬＡＮ１１４アクセスを介した接続を用いて、ダウンリンクデータのためにＵＥ１１０にページングし、ＷＷＡＮ１１２または３ＧＰＰアクセスを介したＵＥ１１０にページングすることを回避することで、電力を低減するかまたは最適化し得る。ＷＬＡＮ１１４アクセスを介して受信される指示に応答して、ＵＥ１１０は、ＷＷＡＮ１１２または３ＧＰＰアクセスを介してサービス要求手順を直接開始し得、次にＥＣＭ＿ＣＯＮＮＥＣＴＥＤモードに移行し得る。
【００２１】
１または複数の追加の実施形態において、ＵＥ１１０が、ＷＷＡＮ１１２または３ＧＰＰアクセスにおいてＰＳＭ（省電力モード）モードをサポートする場合、さらなる最適化が実現可能である。このような構成において、ＤＬデータ、またはモバイル着信呼び出し等の場合、ＵＥ１１０は、ＷＬＡＮ１１４アクセスを介して到達可能であろう。結果として、ＵＥ１１０は、電力効率がより良いＰＳＭ状態に入り、より長い期間、ＰＳＭ状態に留まってよいが、ＰＳＭタイマーの終了を待機するのとは対照的に、必要な場合、比較的迅速にＰＳＭ状態から抜け出すことがまだ可能である。さらに、モビリティマネジメントエンティティ）ＭＭＥ）は、ＵＥ１１０がＰＳＭ状態にある場合に、何れのＤＬデータもバッファリングする必要はなく、ＷＷＡＮ１１２または３ＧＰＰシステムは、ＷＷＡＮ１１２または３ＧＰＰアクセスを介してページングオーバヘッドを負担する必要はない。そのような電力最適化は、ＵＥ１１０のバッテリ電力を節約し得るのみではなく、例えばＷＷＡＮ１１２または３ＧＰＰアクセスノードといったネットワーク１００における信号送信負荷も削減し得る。いくつかの実施形態において、ＷＬＡＮ１１４を介したページ最適化は、ＵＥ１１０がＮＢ_ＩＦＯＭ対応であり、ＷＬＡＮ１１４を介した接続を有する場合に実現可能である。ＵＥ１１０がＮＢ_ＩＦＯＭをサポートしない場合、およびＷＬＡＮ１１４を介した接続が無い場合、ネットワーク１００は、そのＵＥ１１０のために方法３００を任意に実施しなくてよいが、ＮＢ−ＩＦＯＭ対応になり、ＷＬＡＮ１１４を介して接続された他のＵＥ１１０のために方法３００を任意に実施し得る。さらに、所与のＵＥ１１０が、ＮＢ−ＩＦＯＭ対応であり、所与のＰＤＮ−ＧＷが、ＵＥ１１０に達し得る場合、ネットワーク１００が方法３００を実施するかしないかは、ＵＥ１１０が、ＴＷＡＧを通ってＷＬＡＮ１１４を介して接続可能であり得るかないかによって決定され得、または、ｅＰＤＧは、ＷＬＡＮ１１４アクセスがトラステッド（Ｓ２ａ）であるかアントラステッド（Ｓ２ｂ）かに依存し得る。これらは、方法３００がどのように実施され得るかについての例に過ぎず、特許請求された主題の範囲は、これらの点に関して限定されないことに留意すべきである。ＵＥ１１０がクライアントベースのＩＰフローモビリティを開始するための方法は、以下において、図５Ａ〜図５Ｃに示され、それに関連して説明される。
【００２２】
図４をここで参照すると、ユーザ機器が開始する、１または複数の実施形態による、クライアントベースのインターネットプロトコルのフローモビリティの図が議論されるであろう。図４に示されるように、ネットワーク１００の様々なノードは、ＷＬＡＮ１１４のＴＷＡＧ／ｅＰＤＧ１１８のＴＷＡＧまたはＷＬＡＮ−Ａ２１４のＴＷＡＧ２２０のようなトラステッド非３ＧＰＰ‐ＩＰアクセス４１０を含み得る。ネットワークノードは、とりわけ、進化型ユニバーサルモバイルテレコミュニケーションシステム（ＵＭＴＳ）地上無線アクセスネットワーク（ＥＵＴＲＡＮ）４１２、モビリティマネジメントエンティティ（ＭＭＥ）４１４、認証・許可・課金（ＡＡＡ）プロキシ４１６、ビジテッドポリシーおよび課金ルール機能（ｖＰＣＲＦ）４１８、ホームサブスクライバサービスおよび許可、認証、および課金（ＨＳＳ／ＡＡＡ）サーバ４２０、ホームＰＣＲＦ（ｈＰＣＲＦ）４２２も含み得る。ＮＢ_ＩＦＯＭ対応のＵＥ１１０についてＷＷＡＮ１１２アクセスまたは非ＷＷＡＮアクセス、例えば、トラステッド非３ＧＰＰ‐ＩＰアクセス４１０を既存のＰＤＮ接続に追加するとき、ＵＥ１１０は、ネットワーク１００が既存のＰＤＮ接続を他のアクセスから切断しないために、ＰＤＮ接続の確立がＮＢ_ＩＦＯＭのためであることを示す指示または確立理由を提供する。そのような指示を受信すると、ＰＤＮ−ＧＷ１２４は、ＷＷＡＮ１１２（３ＧＰＰ）アクセスおよび非３ＧＰＰアクセス（例えば、ＴＷＡＧ／ｅＰＤＧ１１８）の両方を有するＧＴＰ／ＰＭＩＰトンネルを確立し、維持する。しかしながら、ＵＥ１１０は、ＷＷＡＮ１１２（３ＧＰＰ）アクセスを介したＩＰフローまたはトラフィックが無いこの場合でさえ、アイドルモードおよびＰＳＭのような省電力状態をサポートし続けるが、ＮＢ_ＩＦＯＭ対応のＵＥ１００は、この場合には、完全に切断されなくてもよい。
【００２３】
１または複数の実施形態において、ＥＵＴＲＡＮ４１２のｅＮＢ１１６における非アクティブタイマーが終了した場合、ｅＮＢ１１６は、ｅＮＢ１１６とＵＥ１１０との間でＳ１接続を解放し、ＵＥ１１０は、アイドルモードへと入るであろう。ダウンリンクデータが、アイドルモードの間に届いた場合、Ｓ−ＧＷ１２２は、Ｓ１がリリースされ得るので、このパケットのための何れのダウンリンク汎用パケット無線サービス（ＧＰＲＳ）トンネリングプロトコル（ＧＴＰ）トンネル識別子（ＤＬ  ＧＴＰ  ＴＥＩＤ）も有さないであろう。そのような場合、Ｓ−ＧＷ１２２は、モビリティマネジメントエンティティ（ＭＭＥ）４１４にダウンリンクデータ通知（ＤＤＮ）メッセージを送信し、ＭＭＥ４１４は、ページングメッセージを送信することによって、ＷＷＡＮ１１２（３ＧＰＰ）アクセスを介してＵＥ１１０にページングするであろう。ＵＥ１１０の位置が未知の場合、ＵＥは、トラッキングエリア全体でページングされ得る。しかしながら、このアプローチは、ＷＷＡＮ１１２（３ＧＰＰ）システムにおいて信号送信リソースの大量使用につながり得る。さらに、ＵＥ１１０は、ページングチャネルを待ち受ける（ｌｉｓｔｅｎｉｎｇ）ために、周期的に起動する必要があり、これにより電源を消費する。
【００２４】
ＮＢ_ＩＦＯＭ対応のＵＥ１１０について、電源のそのような消費を低減または最適化すべく、マルチホームＰＤＮ接続のためのＷＬＡＮ１１４を介して、少なくとも単一のＩＰフローがある場合、ＷＷＡＮ１１２アクセスを用いてＵＥ１１０をページングする代わりに、ＷＬＡＮ１１４アクセスがＵＥ１１０をページングするのに利用され得る。ＩＰフローは、ＷＬＡＮ１１４を介して確立されるので、組み合わされたおよび／または同じ場所に配置されたＳ−ＧＷおよびＰ−ＧＷ１２０は、ＵＥ１１０が、例えば、ＷＷＡＮ１１２（３ＧＰＰ）およびＷＬＡＮ１１４アクセスを介してＵＥ１１０の同じＩＰアドレスを用いることによって、ルーティングテーブルに基づいて、ＷＬＡＮ１１４アクセスを介して接続可能であることが分かる。このような構成において、組み合わされたおよび／または同じ場所に配置されたＳ−ＧＷ  Ｐ−ＧＷ１２０は、ＷＷＡＮ１１２（３ＧＰＰ）アクセスを介してＵＥ１１０のために受信ダウンリンクデータがあることを示す新たなＤＤＮ  ＧＴＰ−Ｃメッセージを送信し得る。ＴＷＡＧ／ｅＰＤＧ１１８のＴＷＡＧは、ＵＥ１１０に供給される新たな無線ローカルエリアネットワーク（ＬＡＮ）コントロールプレーン（ＷＬＣＰ）ユニキャストメッセージを用いて、このメッセージをＵＥ１１０に転送する。ＵＥ１１０内のプロトコルスタックは、このＷＬＣＰメッセージを受信した後、ＷＷＡＮ１１２（３ＧＰＰ）アクセスを介してページングすることに応答して、サービス要求手順を開始するであろう。このシナリオでのＷＬＡＮ１１４アクセスを介したページングは、ＷＷＡＮ１１２（３ＧＰＰ）アクセスを介してＵＥ１１０にページングするよりも効率が良いかもしれない。単一のユニキャストメッセージが、この場合、ＴＷＡＧ／ｅＰＤＧ１１８のＴＷＡＧからＵＥ１１０へ送信され得る。
【００２５】
ＩＰフローがＷＬＡＮ１１４アクセスを介して確立されない場合、およびＵＥ１１０がＴＷＡＧを介して接続不可能である場合、Ｓ１１を介した通常のＤＤＮの後に続いてＳ１を介したページングが用いられ得る。そのような最適化は、組み合わされたおよび／または同じ場所に配置されたＳ−ＧＷおよびＰ−ＧＷ１２０の配置についての実現可能な利益を提供する。一般的に、ほとんどの現在の配置は、Ｓ−ＧＷ１２２およびＰ−ＧＷ１２４の両方を同じ場所に配置させる。さらなる最適化は、ＵＥ１１０が、ＷＷＡＮ１１２（３ＧＰＰ）アクセスにおけるＰＳＭモードをサポートする場合に、実現可能であってよい。この場合、ＵＥ１１０は、ＤＬデータの場合にＷＷＡＮ１１２０（３ＧＰＰ）アクセスを介して接続可能ではないであろう。ネットワーク１００は、通常は、ＰＳＭタイマーが終了するまで待機しなければいけなく、ＵＥ１１０は、そのときまでページングメッセージを確認しない。反対に、ＷＬＡＮ１１４アクセスを介してページングすることで、ＵＥ１１０がＰＳＭタイマーを終了させ、ＰＳＭモードから抜け出し、従って、迅速に着信呼び出しに応答することが可能になる。これにより、ユーザ・エクスペリエンスを向上させることが可能である。
【００２６】
ここで図５Ａおよび図５Ｂを参照すると、１または複数の実施形態による、ネットワークベースのインターネットプロトコルフローモビリティ対応のユーザ機器のための無線ローカルエリアネットワークのアタッチおよびページングの図が議論される。図５Ａは、ＷＷＡＮ１１２アクセスを介して既存のＰＤＮ接続にＷＬＡＮ１１４アクセスを追加することに関わる動作を示し、図５Ｂは、ＷＬＡＮ１１４アクセスを介してＮＢ_ＩＦＯＭ対応のＵＥ１１０をページングすることに関わるステップを示す。トラステッドＷＬＡＮ１１４のためのＳ２ａインタフェースを用いるとき、ＷＬＣＰプロトコルが更新され得、ＷＬＣＰページング要求およびＷＬＣＰページング応答メッセージが追加され得る。同様に、ＧＴＰプロトコルが更新され得、ＵＥページング要求およびＵＥページング応答メッセージが追加され得る。ＷＬＡＮ１１４を介したＵＥ１１０のページングが、何れかの理由で失敗した場合、ネットワーク１００は、ＷＷＡＮ１１２（３ＧＰＰ）アクセスを介してページングを行うデフォルトのシナリオに戻ってよい。アントラステッドＷＬＡＮ１１４のためのＳ２ｂインタフェースを用いるとき、ページング通知メッセージは、例えば、以下の図５Ｃに示され、それに関連して説明されるインターネットＫｅｙｉｎｇバージョン２（ＩＫＥｖ２）信号送信に基づいてよい。
【００２７】
図５Ｂにおいて、Ｓ−ＧＷおよびＰ−ＧＷ１１８が、接続されたユーザプレーンではないと知られているＵＥ１１０のためのダウンリンクデータパケットおよび／または制御信号送信を受信するとき、つまり、Ｓ−ＧＷ１２２コンテクストデータが、ダウンリンクユーザプレーンＴＥＩＤを何も示さないとき、Ｓ−ＧＷおよびＰ−ＧＷ１２０は、ダウンリンクデータパケットをバッファリングし、ＵＥ１１０が、同じＰＤＮ接続に属している別のフローを有するかどうか、つまり、ＵＥ１１０が、マルチホームＰＤＮ接続を有するかどうか、特定する。ＵＥ１１０が別のフローを有している場合、Ｓ−ＧＷ１２２は、ＵＥ１１０をページングすべく、ＤＬデータ通知をＴＷＡＧ２２０に送信する。１または複数の実施形態において、異なるまたは新たなＧＴＰメッセージが、この目的で用いられ得る。プロキシモバイルＩＰｖ６（ＰＭＩＰｖ６）ベースのＳ２ａ接続について、同じメッセージまたは異なるＰＭＩＰｖ６メッセージが、利用され得る。
【００２８】
１または複数の実施形態において、ＵＥ１１０が、図５Ｂに示されるサービス要求に直接応答することが可能であるので、ＷＬＣＰページング要求およびＷＬＣＰページング応答が、任意に利用され得る。Ｓ−ＧＷおよびＰ−ＧＷ１１８の組み合わせ、または同じ場所に配置されたＳ−ＧＷおよびＰ−ＧＷ１１８が、ＤＤＮ応答または故障を受信しない場合、Ｓ−ＧＷおよびＰ−ＧＷ１１８は、ＷＷＡＮ１１２（３ＧＰＰ）アクセスを介してＳ１ページング手順を試みてよい。そのようなサービス要求は、ＷＬＣＰページング要求の実行後のいつでも行われてよい。いくつかの実施形態において、ＵＥ１１０が、ＷＷＡＮ１１２（３ＧＰＰ）アクセスおよびＷＬＡＮ１１４アクセスを介して２つの別個のＰＤＮ接続を有する多重アクセスＰＤＮ接続性（ＭＡＰＣＯＮ）状況について、類似のアプローチが、実施され得る。Ｓ２ａ接続について、シングルモード接続ＷＬＣＰは、ＵＥ１１０とＴＷＡＧ２２０との間で用いられなくてよく、よって、新たなプロトコルまたはメッセージが提供され得る。これらは、ネットワーク１００と接続されたＵＥ１１０のための節電または最適化を達成するのに利用され得る多重アクセスＩＰフローの例に過ぎず、特許請求された主題の範囲は、これらに関して限定されないことに留意すべきである。
【００２９】
図５Ｃをここで参照すると、１または複数の実施形態による、進化型パケットデータゲートウェイ（ｅＰＤＧ）を用いたアントラステッド無線ローカルエリアネットワーク（ＷＬＡＮ）アクセスのためのインターネットＫｅｙｉｎｇバージョン２（ＩＫＥｖ２）ベースのページングのフロー図が議論される。図５Ｃに示されるように、ｅＰＤＧ２１８は、ＵＥ１１０へのページング要求を含む、ＩＫＥｖ２  ＩＮＦＯＲＭＡＩＯＮＡＬ要求を開始し得る。このページング要求メッセージを受信した後、ＵＥ１１０内のプロトコルスタックは、無線ワイドエリアネットワーク（ＷＷＡＮ）１１４または３ＧＰＰアクセスを介したページングに応答して、サービス要求手順を開始するであろう。それに応じて、ＵＥ１１０は、ＩＫＥｖ２  ＩＮＦＯＲＭＡＴＩＯＮＡＬ応答を送信し、ページング要求を受け付け、適切なページング応答を指定するが、特許請求された主題の範囲は、これらに関して限定されない。
【００３０】
図６をここで参照すると、１または複数の実施形態によるネットワークベースのインターネットプロトコルフローモビリティを用いて、電力最適化を実現することが可能な情報処理システムのブロック図が議論される。図６の情報処理システム６００は、本明細書において、上述された要素、例えば、限定はされないが、ＵＥ１１０、ｅＮＢ１１６、ＴＷＡＧおよび／またはｅＰＤＧ１１８、Ｓ−ＧＷ１２２、Ｐ−ＧＷ１２４、Ｓ−ＧＷおよびＰ−ＧＷ１２０の組み合わせ等を含む要素のうち任意の１または複数を実体的に具現してよく、より多くの、またはより少ないコンポーネントが、特定のデバイスのハードウェア仕様に依存する。情報処理システム６００はいくつかのタイプのコンピューティングプラットフォームの一例を表すが、情報処理システム６００は、図６に示されるものより多いまたはより少ない要素、および／または、それとは異なる配置の複数の要素を含み得る。特許請求された主題の範囲は、これらの点に関して限定されない。
【００３１】
１または複数の実施形態において、情報処理システム６００は、アプリケーションプロセッサ６１０およびベースバンドプロセッサ６１２を含み得る。アプリケーションプロセッサ６１０は、情報処理システム６００用のアプリケーションおよび様々なサブシステムを実行する汎用プロセッサとして利用され得る。アプリケーションプロセッサ６１０は、単一コアを含み得、または代わりに、複数の多重処理コアを含み得る複数のコアの１または複数は、デジタル信号プロセッサまたはデジタル信号処理（ＤＳＰ）コアを有し得る。さらに、アプリケーションプロセッサ６１０は、同じチップ上に配置されたグラフィックプロセッサもしくはコプロセッサを含み得、または代わりに、アプリケーションプロセッサ６１０に結合されたグラフィックプロセッサが、分離した別個のグラフィックスチップを有し得る。アプリケーションプロセッサ６１０は、キャッシュメモリ等のオンボードメモリを含んでもよく、さらに、動作中に複数のアプリケーションを格納および／または実行するためのシンクロナスダイナミックランダムアクセスメモリ（ＳＤＲＡＭ）６１４、および、情報処理システム６００が電源をオフにされているときでさえも複数のアプリケーションおよび／またはデータを格納するためのＮＡＮＤフラッシュ６１６等の複数の外部メモリデバイスに結合され得る。１または複数の実施形態において、本明細書で説明された態様で動作する情報処理システム６００、および／または、その複数のコンポーネントもしくはサブシステムの何れかを操作または構成する複数の命令が、非一時的記憶媒体を含む製造品上に格納され得る。１または複数の実施形態において、記憶媒体は、本明細書で示され説明される複数のメモリデバイスの何れも備えてよいが、特許請求された主題の範囲はこの点に関して限定されない。ベースバンドプロセッサ６１２は、情報処理システム６００用の複数の広帯域無線機能を制御し得る。ベースバンドプロセッサ６１２は、そのような複数の広帯域無線機能を制御するためのコードをＮＯＲフラッシュ６１８に格納し得る。ベースバンドプロセッサ６１２は、例えば、３ＧＰＰ  ＬＴＥまたはＬＴＥ−アドバンストネットワーク等を介して通信するための複数の広帯域ネットワーク信号を変調および／または復調するのに用いられる無線ワイドエリアネットワーク（ＷＷＡＮ）送受信器６２０を制御する。１または複数の実施形態において、ＳＤＲＡＭ６１４、ＮＡＮＤフラッシュ６１６、および／またはＮＯＲフラッシュ６１８は、マシン、プロセッサ、コンピューティングデバイスまたはコンピュータに、本明細書において議論される何れの方法またはシステムも実装させるべく、ソフトウェア、ファームウェア、またはロジック回路のような、そこに格納されたコードを有する非一時的記憶媒体を有する製造品を備え得る。
【００３２】
一般的に、ＷＷＡＮ送受信機６２０は、以下の無線通信技術および／または規格、つまりグローバルシステムフォーモバイルコミュニケーションズ（ＧＳＭ（登録商標））無線通信技術、汎用パケット無線サービス（ＧＰＲＳ）無線通信技術、ＧＳＭ（登録商標）進化型高速データレート（ＥＤＧＥ）無線通信技術、および／または、例えば、ユニバーサルモバイルテレコミュニケーションシステム（ＵＭＴＳ）、マルチメディアへのアクセスの自由（ＦＯＭＡ）、３ＧＰＰロングタームエボリューション（ＬＴＥ）、３ＧＰＰアドバンスドロングタームエボリューション（ＬＴＥ−Ａｄｖａｎｃｅｄ）、符号分割多重アクセス２０００（ＣＤＭＡ２０００）、セルラデジタルパケットデータ（ＣＤＰＤ）、モビテックス、第３世代（３Ｇ）、回路交換方式データ（ＣＳＤ）、高速回路交換方式データ（ＨＳＣＳＤ）、ユニバーサルモバイルテレコミュニケーションシステム（第３世代）（ＵＭＴＳ（３Ｇ））、広帯域符号分割多重アクセス（ユニバーサルモバイルテレコミュニケーションシステム）（Ｗ−ＣＤＭＡ（ＵＭＴＳ））、高速パケットアクセス（ＨＳＰＡ）、高速ダウンリンクパケットアクセス（ＨＳＤＰＡ）、高速アップリンクパケットアクセス（ＨＳＵＰＡ）、高速パケットアクセスプラス（ＨＳＰＡ＋）、ユニバーサルモバイルテレコミュニケーションシステム‐時分割複信（ＵＭＴＳ−ＴＤＤ）、時分割‐符号分割多重アクセス（ＴＤ−ＣＤＭＡ）、時分割シンクロナス符号分割多重アクセス（ＴＤ−ＣＤＭＡ）、第３世代パートナーシッププロジェクトリリース８（Ｐｒｅ−第４世代）３ＧＰＰ  Ｒｅｌ．８（Ｐｒｅ−４Ｇ）、ＵＭＴＳ地上無線アクセス（ＵＴＲＡ）、進化型ＵＭＴＳ地上無線アクセス（Ｅ−ＵＴＲＡ）、アドバンスドロングタームエボリューション（第４世代）（ＬＴＥ−Ａｄｖａｎｃｅｄ（４Ｇ））、ｃｄｍａＯｎｅ（２Ｇ）、符号分割多重アクセス２０００（第３世代）、ＣＤＭＡ２０００（３Ｇ）、Ｅｖｏｌｕｔｉｏｎ−Ｄａｔａ  ＯｐｔｉｍａｉｚｅｄまたはＥｖｏｌｕｔｉｏｎ−Ｄａｔａ  Ｏｎｌｙ（ＥＶ−ＤＯ）、アドバンストモバイル電話システム（第１世代）（ＡＭＰＳ（１Ｇ））、トータルアクセス通信システム／拡張型トータルアクセス通信システム（ＴＡＣＳ／ＥＴＡＣＳ）、デジタルＡＭＰＳ（第２世代）（Ｄ−ＡＭＰＳ（２Ｇ））、プッシュ・ツー・トーク（ＰＴＴ）、移動電話システム（ＭＴＳ）、改善された移動電話システム（ＩＭＴＳ）、アドバンスト移動電話システム（ＡＭＴＳ）、ＯＬＴ（Ｐｕｂｌｉｃ  Ｌａｎｄ  Ｍｏｂｉｌｅ  Ｔｅｌｅｐｈｏｎｙ、ノルウェー語でＯｆｆｅｎｔｌｉｇ  Ｌａｎｄｍｏｂｉｌ  Ｔｅｌｅｆｏｎｉ）、ＭＴＤ（Ｍｏｂｉｌｔｅｌｅｆｏｎｉｓｙｓｔｅｍ  Ｄのスウェーデン語の略称またはＭｏｂｉｌｅ  ｔｅｌｅｐｈｏｎｙ  ｓｙｓｔｅｍ  Ｄ）、Ｐｕｂｌｉｃ  Ａｕｔｏｍａｔｅｄ  Ｌａｎｄ  Ｍｏｂｉｌｅ（Ａｕｔｏｔｅｌ／ＰＡＬＭ）、ＡＲＰ（フィンランド語でＡｕｔｏｒａｄｉｏｐｕｈｅｌｉｎ、「車無線電話」）ＮＭＴ（Ｎｏｒｄｉｃ  Ｍｏｂｉｌｅ  Ｔｅｌｅｐｈｏｎｙ）、ＮＴＴ（Ｎｉｐｐｏｎ  Ｔｅｌｅｇｒａｐｈ  ａｎｄ  Ｔｅｌｅｐｈｏｎｅ（日本電信電話））の高能力バージョン（Ｈｉｃａｐ）、セル��デジタルパケットデータ（ＣＤＰＤ）、モビテックス、ＤａｔａＴＡＣ、Ｉｎｔｅｇｒａｔｅｄ  Ｄｉｇｉｔａｌ  Ｅｎｈａｎｃｅｄ  Ｎｅｔｗｏｒｋ（ｉＤＥＮ）、パーソナルデジタルセルラ（ＰＤＣ）、回路交換方式データ（ＣＳＤ）、パーソナルハンディーフォンシステム（ＰＨＳ）、広帯域Ｉｎｔｅｇｒａｔｅｄ  Ｄｉｇｉｔａｌ  Ｅｎｈａｎｃｅｄ  Ｎｅｔｗｏｒｋ（ＷｉＤＥＮ）、ｉＢｕｒｓｔ、３ＧＰＰジェネリックアクセスネットワークとも呼ばれる無認可モバイルアクセス（ＵＭＡ）、またはＧａＮ規格、Ｚｉｇｂｅｅ（登録商標）、Ｂｌｕｅｔｏｏｔｈ（登録商標）、および／または、一般的なテレメトリ送受信器といった、第３世代パートナーシッププロジェクト（３ＧＰＰ）無線通信技術を含むが、これらに限定されない無線通信技術の任意の１または複数に従って、一般的な任意のタイプのＲＦ回路またはＲＦＩ高感度回路において、動作し得る。そのような複数の規格は時間と共に進化し得、および／または、複数の新たな規格が普及され得ることに留意すべきである。特許請求された主題の範囲は、この点に関して限定されない。
【００３３】
ＷＷＡＮ送受信機６２０は、ＷＷＡＮ広帯域ネットワークを介して複数の無線周波数信号を送信および受信するための１または複数のアンテナ６２４にそれぞれ結合された、１または複数の電力増幅器６４２に結合する。ベースバンドプロセッサ６１２は、また、１または複数の適切なアンテナ６２８に結合され、Ｗｉ−Ｆｉ、Ｂｌｕｅｔｏｏｔｈ（登録商標）、および／または振幅変調（ＡＭ）または周波数変調（ＦＭ）、ＩＥＥＥ８０２．１１ａ／ｂ／ｇ／ｎ規格、およびＩＥＥＥ８０２．１１ａｃ規格等を含む無線規格を介して、通信することが可能であり得る無線ローカルエリアネットワーク（ＷＬＡＮ）送受信器６２６を制御し得る。これらは、単に、アプリケーションプロセッサ６１０およびベースバンドプロセッサ６１２用の例示的な実装形態であることに留意すべきである。特許請求された主題の範囲は、これらの点に関して限定されない。例えば、ＳＤＲＡＭ６１４、ＮＡＮＤフラッシュ６１６、および／またはＮＯＲフラッシュ６１８の任意の１または複数は、磁気メモリ、カルコゲニドメモリ、位相変化メモリ、またはオボニックメモリ等のような他のタイプのメモリ技術を備えてよく、特許請求された主題の範囲は、この点に限定されない。
【００３４】
１または複数の実施形態において、アプリケーションプロセッサ６１０は、様々な情報またはデータを表示するためのディスプレイ６３０を駆動してもよく、さらに、タッチスクリーン６３２を介してユーザからのタッチ入力を、例えば指またはスタイラスを介して受信してもよい。環境光センサ６３４は、例えば、環境光センサ６３４によって検出される環境光の強度の関数としての、ディスプレイ６３０に対する輝度値またはコントラスト値を制御すべく、情報処理システム６００が動作している場所での環境光の量を検出するのに利用されてもよい。１または複数のカメラ６３６は、アプリケーションプロセッサ６１０により処理される、および／またはＮＡＮＤフラッシュ６１６に少なくとも一時的に格納された複数の画像をキャプチャするのに用いられてもよい。さらに、アプリケーションプロセッサは、情報処理システム６００の位置、動き、および／または、向きを含む様々な環境特性の検出用に、ジャイロスコープ６３８、加速度計６４０、磁力計６４２、オーディオコーダ／デコーダ（コーデック）６４４、および／または適切な全地球測位システム（ＧＰＳ）アンテナ６４８に結合されたＧＰＳコントローラ６４６に結合してもよい。代替として、コントローラ６４６は、全地球ナビゲーション衛星システム（ＧＮＳＳ）コントローラを備えてもよい。オーディオコーデック６４４は、複数のオーディオポート６５０を介して情報処理システムに結合された複数の内部デバイスおよび外部デバイスを介して、またはそれらの何れか一方を介して、例えばヘッドフォンおよびマイクジャックを介して、マイク入力および複数のスピーカ出力を提供する１または複数のオーディオポート６５０に結合されてもよい。これに加えて、アプリケーションプロセッサ６１０は、ユニバーサルシリアルバス（ＵＳＢ）ポート、ハイデフィニションマルチメディアインタフェース（ＨＤＭＩ（登録商標））ポート、シリアルポート等のような、１または複数の入力／出力（Ｉ／Ｏ）ポート６５４に結合した１または複数のＩ／Ｏ送受信器６５２に結合してもよい。さらに、複数のＩ／Ｏ送受信器６５２の１または複数は、セキュアデジタル（ＳＤ）カードまたは加入者識別モジュール（ＳＩＭ）カード等の任意のリムーバブルメモリ用の１または複数のメモリスロット６５６に結合してもよいが、特許請求された主題の範囲は、これらの点に関して限定されない。
【００３５】
図７は、１または複数の実施形態によるタッチスクリーンを任意に含み得る図６の情報処理システムの等角図である。図７は、セルラ電話、スマートフォン、またはタブレットタイプのデバイス等として、例えばＵＥ１１０の実施形態の例または類似のデバイスとして実体的に具現化される、図６の情報処理システム６００の実装例を示す。情報処理システム６００は、触知入力制御および複数のコマンドを、１または複数のアプリケーションプロセッサ６１０を制御すべく、ユーザの指７１６を介して、および／またはスタイラス７１８を介して受信するためのタッチスクリーン６３２を含み得るディスプレイ６３０を有する筐体７１０を備えてもよい。筐体７１０は、情報処理システム６００の１または複数のコンポーネント、例えば、１または複数のアプリケーションプロセッサ６１０、ＳＤＲＡＭ６１４、ＮＡＮＤフラッシュ６１６、ＮＯＲフラッシュ６１８、ベースバンドプロセッサ６１２、および／またはＷＷＡＮ送受信機６２０の１または複数を収容してよい。情報処理システム６００は、さらに、１または複数のボタンもしくはスイッチを介して情報処理システムを制御するためのキーボードまたは複数のボタンを備え得る物理アクチュエータエリア７２０を任意に含んでもよい。情報処理システム６００は、また、フラッシュメモリ等の不揮発性メモリを受信するためのメモリポートまたはスロット６５６を、例えば、セキュアデジタル（ＳＤ）カードまたは加入者識別モジュール（ＳＩＭ）カードの形態で含んでもよい。任意に、情報処理システム６００は、さらに、１または複数のスピーカおよび／またはマイクロフォン７２４ならびに情報処理システム６００を別の電子デバイス、ドック、ディスプレイ、バッテリ充電器等に接続するための接続ポート６５４をさらに含んでもよい。さらに、情報処理システム６００は、筐体７１０の１または複数の側面上に、ヘッドフォンまたはスピーカジャック７２８および１または複数のカメラ６３６を含んでもよい。図７の情報処理システム６００は、様々な構成に示されるより多いまたはより少ない要素を含んでよく、特許請求された主題の範囲は、この点に限定されないことに留意すべきである。
【００３６】
非限定的な例示的実施形態において、ユーザ機器（ＵＥ）は、無線ワイドエリアネットワーク（ＷＷＡＮ）および無線ローカルエリアネットワーク（ＷＬＡＮ）を介して多重アクセス単一パケットデータネットワーク接続でネットワークに接続し、ＷＷＡＮアクセスのためのアイドル状態に入り、アイドル状態またはＷＷＡＮアクセスのためのアクティブ化された省電力モード（ＰＳＭ）にある間に、ＷＬＡＮを介して、ＷＷＡＮを介したサービスについてのページングを受信し、ＷＷＡＮを介してネットワークに接続し、ＷＷＡＮを介してサービスを受信する処理回路を備える。ＷＷＡＮは、第３世代パートナーシッププロジェクト（３ＧＰＰ）ネットワークを備える。アイドル状態は、ＥＣＭ＿ＩＤＬＥ状態を備えるか、またはＵＥは、アクティブ化された省電力モードを有する。ＷＷＡＮを介してネットワークに接続すべく、処理回路は、ＷＷＡＮを介してサービス要求手順を開始し、ＷＷＡＮを介してＥＣＭ＿ＣＯＮＮＥＣＴＥＤモードに移行するように構成されている。処理回路は、省電力モードをアクティブ化し、省電力モードがアクティブ化されている間にＷＬＡＮを介してページングを受信することに応答して、ユーザ機器を起動するように構成されている。ＷＷＡＮを介したサービスは、ダウンリンクデータ、モバイル通話、またはインターネットサービス、またはこれらの組み合わせを備える。ユーザ機器は、ネットワークベースのインターネットプロトコルフローモビリティを介して動作することが可能であり、ネットワークは、単一の多重アクセスパケットデータネットワーク（ＰＤＮ）接続を用いる。
【００３７】
他の非限定的な例示的実施形態において、サービングゲートウェイ（Ｓ−ＧＷ）は、単一のパケットデータネットワーク接続としてユーザ機器に接続された無線ローカルエリアネットワーク（ＷＬＡＮ）と同時に、無線ワイドエリアネットワーク（ＷＷＡＮ）を介するユーザ機器（ＵＥ）への接続を提供し、ＷＷＡＮアクセスを介してユーザ機器に提供されるサービスを受信し、ユーザ機器がアイドル状態にあるか、または省電力モード（ＰＳＭ）がＷＷＡＮのためにアクティブ化されている場合、ＷＬＡＮを介してユーザ機器にページングし、ユーザ機器から応答を受信した後、ＷＷＡＮを介してユーザ機器と接続し、ＷＷＡＮを介してユーザ機器にサービスを提供する、処理回路を備える。ＷＷＡＮは、第３世代パートナーシッププロジェクト（３ＧＰＰ）ネットワークを備える。サービングゲートウェイは、パケットデータネットワークゲートウェイ（Ｐ−ＧＷ）と同じ場所に位置し、ゲートウェイの処理回路は、パケットデータネットワークゲートウェイを介してユーザ機器にページングを送信するように構成されている。ユーザ機器にページングすべく、処理回路は、ページング要求がトラステッドワイヤレスアクセスゲートウェイ（ＴＷＡＧ）に送信されるようにするように構成され、ＴＷＡＧは、送信されるべき無線ローカルエリアネットワーク（ＬＡＮ）コントロールプレーン（ＷＬＣＰ）ページング要求をユーザ機器に送信し、ユーザ機器からＷＬＣＰページング応答を受信するように構成されている。ユーザ機器にページングすべく、処理回路は、ページング要求が、進化型パケットデータゲートウェイ（ｅＰＤＧ）に送信されるようにするように構成され、ｅＰＤＧは、送信されるべきページング要求メッセージを含むＩＫＥｖ２  ＩＮＦＯＲＭＡＩＯＮＡＬ要求をユーザ機器に送信し、ユーザ機器からページング応答メッセージを含むＩＫＥｖ２  ＩＮＦＯＲＭＡＴＩＯＮＡＬ応答を受信するように構成されている。ユーザ機器にページングすべく、処理回路は、ＷＬＡＮのトラステッドワイヤレスアクセスゲートウェイ（ＴＷＡＧ）または進化型パケットデータゲートウェイ（ｅＰＤＧ）に通知を送信し、トラステッドワイヤレスアクセスゲートウェイから戻される通知応答を受信するように構成されている。ユーザ機器から受信された応答は、ＷＷＡＮアクセスについてのサービス要求を有する。ＷＷＡＮを介してユーザ機器に提供されるサービスは、ダウンリンクデータ、モバイル通話、またはインターネットサービス、またはこれらの組み合わせを有する。処理回路は、ユーザ機器が、ネットワークを用いてネットワークベースのインターネットプロトコルフローモビリティを介して動作することが可能でない場合に、ＷＷＡＮを介してユーザ機器に他の方法でページングするように構成されている。処理回路は、ユーザ機器に提供されるサービスが受信されるとき、ユーザ機器が、ＷＬＡＮに接続されていない場合に、ＷＷＡＮを介してユーザ機器に他の方法でページングするように構成されている。
【００３８】
さらなる非限定的な例示的実施形態において、非一時的記憶媒体は、プロセッサによって実行された場合、ユーザ機器が、無線ワイドエリアネットワーク（ＷＷＡＮ）および無線ローカルエリアネットワーク（ＷＬＡＮ）を介した単一のパケットデータネットワーク接続でネットワークに接続し、ＷＷＡＮアクセスのためのアイドル状態に入り、ＷＷＡＮアクセスのためのアイドル状態にある間にＷＬＡＮを介して、ＷＷＡＮを介したサービスについてのページングを受信し、ＷＷＡＮを介してネットワークに接続し、ＷＷＡＮを介してサービスを受信することをもたらす命令を備える。ＷＷＡＮは、第３世代パートナーシッププロジェクト（３ＧＰＰ）ネットワークを有する。アイドル状態は、ＥＣＭ＿ＩＤＬＥ状態を含む。ＷＷＡＮを介してネットワークに接続すべく、命令は、プロセッサによって実行される場合、ユーザ機器が、ＷＷＡＮを介してサービス要求手順を開始し、ＷＷＡＮを介してＥＣＭ＿ＣＯＮＮＥＣＴＥＤモードに移行することをさらにもたらす。命令は、プロセッサによって実行される場合、ユーザ機器が、省電力モードへと入り、省電力モードにある間にＷＬＡＮを介してページングを受信することに応答して起動することをさらにもたらす。ＷＷＡＮを介したサービスは、ダウンリンクデータ、モバイル通話、またはインターネットサービス、またはこれらの組み合わせを含む。命令は、プロセッサによって実行される場合、ユーザ機器がネットワークを用いてネットワークベースのインターネットプロトコルフローモビリティを介して動作することをもたらす。
【００３９】
さらなる非限定的な例示的実施形態において、製造品は、そこに命令を有する非一時的記憶媒体を備え、命令は、実行された場合、サービングゲートウェイが、単一のパケットデータネットワーク接続としてユーザ機器に接続された無線ローカルエリアネットワーク（ＷＬＡＮ）と同時に、無線ワイドエリアネットワーク（ＷＷＡＮ）を介してユーザ機器（ＵＥ）への接続を提供し、ＷＷＡＮアクセスを介してユーザ機器に提供されるサービスを受信し、ユーザ機器がＷＷＡＮのためのアイドル状態にある場合、ＷＬＡＮを介してユーザ機器にページングし、ユーザ機器から応答を受信した後に、ＷＷＡＮを介してユーザ機器と接続し、ＷＷＡＮを介してサービスをユーザ機器に提供することをもたらす。ＷＷＡＮは、第３世代パートナーシッププロジェクト（３ＧＰＰ）ネットワークを有する。サービングゲートウェイは、パケットデータネットワークゲートウェイ（Ｐ−ＧＷ）と同じ場所に位置し、命令は、実行された場合、ゲートウェイがパケットデータネットワークゲートウェイを介してユーザ機器にページングを送信することをもたらす。ユーザ機器にページングすべく、命令は、実行された場合、サービングゲートウェイが、無線ローカルエリアネットワーク（ＬＡＮ）コントロールプレーン（ＷＬＣＰ）ページング要求が、ユーザ機器に送信されることをもたらし、ＷＬＣＰページング応答をユーザ機器から受信するようにすることをもたらす。ユーザ機器にページングすべく、命令は、実行された場合、サービングゲートウェイが、ページング要求を含むＩＫＥｖ２  ＩＮＦＯＲＭＡＩＯＮＡＬ要求にユーザ機器に送信されることをもたらし、ユーザ機器からのページング応答を含むＩＫＥｖ２  ＩＮＦＯＲＭＡＴＩＯＮＡＬ応答を受信させることをもたらす。ユーザ機器にページングすべく、命令は、実行された場合、サービングゲートウェイが、ＷＬＡＮのトラステッドワイヤレスアクセスゲートウェイ（ＴＷＡＧ）に通知を送信し、トラステッドワイヤレスアクセスゲートウェイから戻る通知応答を受信することをもたらす。ユーザ機器から受信された応答は、ＷＷＡＮアクセスについてのサービス要求を有する。ＷＷＡＮを介してユーザ機器に提供されるサービスは、ダウンリンクデータ、モバイル通話、またはインターネットサービス、またはこれらの組み合わせを有する。命令は、実行された場合、ユーザ機器がネットワークベースのインターネットプロトコルフローモビリティを介してネットワークで動作することが可能でない場合、サービングゲートウェイが、ＷＷＡＮを介してユーザ機器に他の方法でページングすることをもたらす。命令は、実行された場合、ユーザ機器に提供されるサービスが受信されるとき、ユーザ機器が、ＷＷＡＮを介してＷＬＡＮに接続されていない場合に、サービングゲートウェイが、ユーザ機器に他の方法でページングすることをもたらす。
【００４０】
特許請求の範囲に記載された主題がある程度の詳細さで説明されたが、それの複数の要素は、特許請求の範囲に記載された主題の主旨および／または範囲から逸脱することなく、当業者によって変更され得ることが認識されるべきである。
ネットワークベースのインターネットプロトコルフローモビリティのための電力最適化に関する主題およびその付随するユティリティの多くは、上述の説明によって理解され、様々な変更が、特許請求の範囲に記載された主題の範囲および／または主旨から逸脱することなく、またはその材料の利点の全てを犠牲にすることなく、および／または、さらには、これに対する実質的な変更を提供することなく、これらの構成要素の形態、構成および／または配置において行われてよく、前に説明された本明細書における形態は、これらの説明のための実施形態に過ぎないことは明らかであると考えられている。
そのような複数の変更を包含および／または含むことは、特許請求の範囲の意図するところである。
［項目１］
ユーザ機器（ＵＥ）であって、
無線ワイドエリアネットワーク（ＷＷＡＮ）および無線ローカルエリアネットワーク（ＷＬＡＮ）を介した多重アクセス単一パケットデータネットワーク接続でネットワークに接続し、
ＷＷＡＮアクセスのためのアイドル状態に入り、
ＷＷＡＮアクセスのためのアクティブ化された上記アイドル状態または省電力モード（ＰＳＭ）にある間に、上記ＷＬＡＮを介してページングを受信し、上記ページングは、上記ＷＷＡＮを介したサービスについてのものであり、
上記ネットワークに上記ＷＷＡＮを介して接続し、
上記ＷＷＡＮを介して上記サービスを受信する、処理回路を備える、ユーザ機器。
［項目２］
上記ＷＷＡＮは、第３世代パートナーシッププロジェクト（３ＧＰＰ）ネットワークを有する、項目１に記載のユーザ機器。
［項目３］
上記アイドル状態は、ＥＣＭ＿ＩＤＬＥ状態を含み、または、上記ＵＥは、アクティブ化された省電力モードを有する、項目１または２に記載のユーザ機器。
［項目４］
上記ＷＷＡＮを介して上記ネットワークに接続すべく、上記処理回路は、
上記ＷＷＡＮを介してサービス要求手順を開始し、
上記ＷＷＡＮを介してＥＣＭ＿ＣＯＮＮＥＣＴＥＤモードに移行する、
項目１から３の何れか一項に記載のユーザ機器。
［項目５］
上記処理回路は、
省電力モードをアクティブ化し、
上記省電力モードがアクティブ化されている間に、上記ＷＬＡＮを介して上記ページングを受信することに応答して、上記ユーザ機器を起動する、
項目１から４の何れか一項に記載のユーザ機器。
［項目６］
上記ＷＷＡＮを介した上記サービスは、ダウンリンクデータ、モバイル通話、またはインターネットサービス、またはこれらの組み合わせを有する、項目１から５の何れか一項に記載のユーザ機器。
［項目７］
上記ユーザ機器は、単一の多重アクセスパケットデータネットワーク（ＰＤＮ）接続を用いてネットワークベースのインターネットプロトコルフローモビリティを介して、上記ネットワークで動作することが可能である、項目１から６の何れか一項に記載のユーザ機器。
［項目８］
無線ワイドエリアネットワーク（ＷＷＡＮ）を介してユーザ機器（ＵＥ）への接続を、単一のパケットデータネットワーク接続として上記ユーザ機器に接続された無線ローカルエリアネットワーク（ＷＬＡＮ）と同時に提供し、
ＷＷＡＮアクセスを介して上記ユーザ機器に提供されるサービスを受信し、
上記ユーザ機器が、アイドル状態にあるか、または省電力モード（ＰＳＭ）が上記ＷＷＡＮのためにアクティブ化されている場合、上記ＷＬＡＮを介して上記ユーザ機器にページングし、
上記ユーザ機器から応答を受信した後、上記ＷＷＡＮを介して上記ユーザ機器と接続し、
上記ＷＷＡＮを介して上記ユーザ機器に上記サービスを提供する、処理回路を備える、
サービングゲートウェイ（Ｓ−ＧＷ）。
［項目９］
上記ＷＷＡＮは、第３世代パートナーシッププロジェクト（３ＧＰＰ）ネットワークを有する、項目８に記載のサービングゲートウェイ。
［項目１０］
上記サービングゲートウェイは、パケットデータネットワークゲートウェイ（Ｐ−ＧＷ）と同じ場所に位置し、上記ゲートウェイの上記処理回路は、上記パケットデータネットワークゲートウェイを介して上記ユーザ機器に上記ページングを送信する、項目８または９に記載のサービングゲートウェイ。
［項目１１］
上記ユーザ機器にページングすべく、上記処理回路は、トラステッドワイヤレスアクセスゲートウェイ（ＴＷＡＧ）に送信されるページング要求をもたらし、上記ＴＷＡＧは、送信されるべき無線ローカルエリアネットワーク（ＬＡＮ）コントロールプレーン（ＷＬＣＰ）ページング要求を上記ユーザ機器に送信し、上記ユーザ機器からＷＬＣＰページング応答を受信する、項目８から１０の何れか一項に記載のサービングゲートウェイ。
［項目１２］
上記ユーザ機器にページングすべく、上記処理回路は、進化型パケットデータゲートウェイ（ｅＰＤＧ）に送信されるページング要求をもたらし、上記ｅＰＤＧは、上記ユーザ機器に送信されるべきページング要求メッセージを含むＩＫＥｖ２  ＩＮＦＯＲＭＡＩＯＮＡＬ要求を送信し、上記ユーザ機器からページング応答メッセージを含むＩＫＥｖ２  ＩＮＦＯＲＭＡＴＩＯＮＡＬ応答を受信する、項目８から１１の何れか一項に記載のサービングゲートウェイ。
［項目１３］
上記ユーザ機器にページングすべく、上記処理回路は、上記ＷＬＡＮのトラステッドワイヤレスアクセスゲートウェイ（ＴＷＡＧ）または進化型パケットデータゲートウェイ（ｅＰＤＧ）に通知を送信し、上記トラステッドワイヤレスアクセスゲートウェイから戻ってくる通知応答を受信する、項目８から１２の何れか一項に記載のサービングゲートウェイ。
［項目１４］
上記ユーザ機器から受信された上記応答は、ＷＷＡＮアクセスについてのサービス要求を有する、項目８から１３の何れか一項に記載のサービングゲートウェイ。
［項目１５］
上記ＷＷＡＮを介して上記ユーザ機器に提供される上記サービスは、ダウンリンクデータ、モバイル通話、またはインターネットサービス、またはこれらの組み合わせを有する、項目８から１４の何れか一項に記載のサービングゲートウェイ。
［項目１６］
上記ユーザ機器が、ネットワークベースのインターネットプロトコルフローモビリティを介して、上記ネットワークで動作することが可能でない場合、上記処理回路は、上記ＷＷＡＮを介して上記ユーザ機器にページングする、項目９に記載のサービングゲートウェイ。
［項目１７］
上記ユーザ機器に提供されるべき上記サービスが受信されるときに、上記ユーザ機器が、上記ＷＬＡＮに接続されていない場合、上記処理回路は、上記ＷＷＡＮを介して上記ユーザ機器にページングする、項目９に記載のサービングゲートウェイ。
［項目１８］
プロセッサによって実行された場合、ユーザ機器が、
無線ワイドエリアネットワーク（ＷＷＡＮ）および無線ローカルエリアネットワーク（ＷＬＡＮ）を介して、単一のパケットデータネットワーク接続でネットワークに接続し、
ＷＷＡＮアクセスのためのアイドル状態に入り、
上記ＷＷＡＮアクセスのためのアイドル状態にある間に、上記ＷＷＡＮを介したサービスのためのページングを、上記ＷＬＡＮを介して受信し、
上記ＷＷＡＮを介して上記ネットワークに接続し、
上記ＷＷＡＮを介して上記サービスを受信する、ことをもたらす複数の命令を備える、非一時的記憶媒体。
［項目１９］
上記ＷＷＡＮは、第３世代パートナーシッププロジェクト（３ＧＰＰ）ネットワークを有する、項目１８に記載の記憶媒体。
［項目２０］
上記アイドル状態は、ＥＣＭ＿ＩＤＬＥ状態を有する、項目１８または１９に記載の記憶媒体。
［項目２１］
上記ＷＷＡＮを介して上記ネットワークに接続すべく、上記複数の命令は、上記プロセッサによって実行された場合に上記ユーザ機器が、
上記ＷＷＡＮを介してサービス要求手順を開始し、
上記ＷＷＡＮを介してＥＣＭ＿ＣＯＮＮＥＣＴＥＤモードに移行する、ことをさらにもたらす、項目１８から２０の何れか一項に記載の記憶媒体。
［項目２２］
上記複数の命令は、上記プロセッサによって実行された場合、上記ユーザ機器が、
省電力モードへと入り、
上記省電力モードにある間に、上記ＷＬＡＮを介して上記ページングを受信することに応答して起動する、ことをさらにもたらす、項目１８から２１の何れか一項に記載の記憶媒体。
［項目２３］
上記ＷＷＡＮを介した上記サービスは、ダウンリンクデータ、モバイル通話、またはインターネットサービス、またはこれらの組み合わせを有する、項目１８から２２の何れか一項に記載の記憶媒体。
［項目２４］
上記複数の命令は、上記プロセッサによって実行された場合、上記ユーザ機器が、ネットワークベースのインターネットプロトコルフローモビリティを介して上記ネットワークで動作することをもたらす、項目１８から２３の何れか一項に記載の記憶媒体。
［項目２５］
実行された場合、サービングゲートウェイが、
単一のパケットデータネットワーク接続として、無線ワイドエリアネットワーク（ＷＷＡＮ）を介してユーザ機器（ＵＥ）への接続を、上記ユーザ機器に接続された無線ローカルエリアネットワーク（ＷＬＡＮ）と同時に提供し、
ＷＷＡＮアクセスを介して上記ユーザ機器に提供されるサービスを受信し、
上記ユーザ機器が上記ＷＷＡＮのためのアイドル状態にある場合、上記ＷＬＡＮを介して上記ユーザ機器にページングし、
上記ユーザ機器から応答を受信した後に、上記ＷＷＡＮを介して上記ユーザ機器と接続し、
上記ＷＷＡＮを介して上記サービスを上記ユーザ機器に提供する、ことをもたらす、複数の命令を有している非一時的記憶媒体を備える、製造品。
［項目２６］
上記ＷＷＡＮは、第３世代パートナーシッププロジェクト（３ＧＰＰ）ネットワークを有する、項目２５に記載の製造品。
［項目２７］
上記サービングゲートウェイは、パケットデータネットワークゲートウェイ（Ｐ−ＧＷ）と同じ場所に位置し、上記複数の命令は、実行された場合、上記ゲートウェイが、上記パケットデータネットワークゲートウェイを介して上記ユーザ機器に上記ページングを送信することをもたらす、項目２５または２６に記載の製造品。
［項目２８］
上記ユーザ機器にページングすべく、上記複数の命令は、実行された場合、上記サービングゲートウェイが、無線ローカルエリアネットワーク（ＬＡＮ）コントロールプレーン（ＷＬＣＰ）ページング要求が上記ユーザ機器に送信され、上記ユーザ機器からＷＬＣＰページング応答を受信することをもたらす、項目２５から２７の何れか一項に記載の製造品。
［項目２９］
上記ユーザ機器にページングすべく、上記複数の命令は、実行された場合、上記サービングゲートウェイが、ページング要求を含むＩＫＥｖ２  ＩＮＦＯＲＭＡＩＯＮＡＬ要求が、上記ユーザ機器に送信され、上記ユーザ機器からのページング応答を含むＩＫＥｖ２  ＩＮＦＯＲＭＡＴＩＯＮＡＬ応答を受信することをもたらす、項目２５から２８の何れか一項に記載の製造品。
［項目３０］
上記ユーザ機器にページングすべく、上記複数の命令は、実行された場合、上記サービングゲートウェイが、上記ＷＬＡＮのトラステッドワイヤレスアクセスゲートウェイ（ＴＷＡＧ）に通知を送信し、上記トラステッドワイヤレスアクセスゲートウェイから通知応答を受信することをもたらす、項目２５から２９の何れか一項に記載の製造品。
［項目３１］
上記ユーザ機器から受信された上記応答は、ＷＷＡＮアクセスについてのサービス要求を有する、項目２５から３０の何れか一項に記載の製造品。
［項目３２］
上記ＷＷＡＮを介して上記ユーザ機器に提供される上記サービスは、ダウンリンクデータ、モバイル通話、またはインターネットサービス、またはこれらの組み合わせを有する、項目２５から３１の何れか一項に記載の製造品。
［項目３３］
上記複数の命令は、実行された場合、上記ユーザ機器がネットワークベースのインターネットプロトコルフローモビリティを介して上記ネットワークで動作することが可能でない場合、上記サービングゲートウェイが、上記ＷＷＡＮを介して上記ユーザ機器にページングすることをもたらす、項目２５から３２の何れか一項に記載の製造品。
［項目３４］
上記複数の命令は、実行された場合、上記ユーザ機器に提供される上記サービスが受信されるときに、上記ユーザ機器が、上記ＷＬＡＮに接続されていない場合、上記サービングゲートウェイが、上記ＷＷＡＮを介して上記ユーザ機器にページングすることをもたらす、項目２５から３３の何れか一項に記載の製造品。
【図１】
0006400123.tif 000002
【図２】
0006400123.tif 000003
【図３】
0006400123.tif 000004
【図４】
0006400123.tif 000005
【図５Ａ】
0006400123.tif 000006
【図５Ｂ】
0006400123.tif 000007
【図５Ｃ】
0006400123.tif 000008
【図６】
0006400123.tif 000009
【図７】
0006400123.tif 000010